(57)【要約】【課題】  大きさの異なる２種類以上の弁ハンドルの開閉操作を行うことが可能で、かつ聴診棒の機能を兼ね備えた弁ハンドル開閉用工具を提供する。【解決手段】  操作杆１の軸線方向の異なる位置で、操作杆の軸線に直角な一対の固定脚３、４または６、７からなり、かつ固定脚間の間隔Ｄ１、Ｄ２が弁ハンドルの径の大きさの種類に応じて互いに異なる２以上の弁ハンドル用ウィルキー作用部２、５を設ける。また、操作杆１の先端に先細状の触針部８を形成するとともに、後端に耳に当てるための聴診部９を形成した構造とする。【選択図】  図１
2007203386.tif 000002
【特許請求の範囲】
【請求項１】
操作杆の軸線方向の異なる位置で、操作杆の軸線に略直角な一対の固定脚からなるとともに、該一対の固定脚間の間隔が弁ハンドルの径の大きさの種類に応じて互いに異なる２以上の弁ハンドル用ウィルキー作用部を設けたこと特徴とする弁ハンドル開閉用工具。
【請求項２】
前記操作杆の先端に先細状の触針部を形成するとともに、後端に耳に当てるための聴診部を形成したことを特徴とする請求項１に記載の弁ハンドル開閉用工具。
【請求項３】
前記弁ハンドル用ウィルキー作用部のうちの少なくとも小径の弁ハンドル用ウィルキー作用部について、これを構成する一対の固定脚のうちの少なくとも片方の固定脚の先端を先細状に形成したことを特徴とする請求項１または２に記載の弁ハンドル開閉用工具。
【請求項４】
前記弁ハンドル用ウィルキー作用部は、前記操作杆の上下方向に２個所設けられるとともに、各弁ハンドル用ウィルキー作用部は、前記操作杆の軸線に対して１８０度異なる方向に配向されていることを特徴とする請求項１〜３のいずれか１項に記載の弁ハンドル開閉用工具。
【発明の詳細な説明】
【技術分野】
【０００１】
本発明は、発電プラント等に設けられた蒸気配管や燃料輸送管等の弁ハンドルを回転操作するための弁ハンドル開閉用工具に関するものである。
【背景技術】
【０００２】
従来、蒸気配管等に設けられた弁ハンドルを回転させて弁の開閉を図る弁ハンドル開閉用工具として、弁ハンドル用ウィルキーが知られている。この弁ハンドル用ウィルキーは、操作杆の先端側に操作杆の軸線と直交する一対の固定脚を設けた構造のものが一般的であり、この一対の固定脚を弁ハンドルの孔および外周部に係合させた状態で、操作杆を回転させることで弁の開閉が可能となっている。
【０００３】
これに対し、操作杆に、操作杆から延長された２本の固定脚と、操作杆に沿ってスライド自在に装着され固定脚に対して前進、後退可能な可動脚とを設け、前記固定脚と可動脚とを、操作杆から外側へ拡がる末広がり形状とした弁ハンドル用ウィルキーが提案されている（特許文献１参照）。
【０００４】
この特許文献１に記載された弁ハンドル用ウィルキーによれば、一対の固定脚によるウィルキーでは固定脚間隔が広すぎて使用できない径の小さいミニハンドルの場合であっても、可動脚をスライド移動し、固定脚と可動脚とをミニハンドルの外周線にかかるよう設定することで、ミニハンドルの操作が可能となる。したがって、一本のウィルキーで各種ハンドルに対応することができる。
【０００５】
【特許文献１】実開平６−１７８７４号公報
【発明の開示】
【発明が解決しようとする課題】
【０００６】
ところで、発電プラント等には蒸気配管や燃料輸送管等のように、直径が異なる複数の配管が存在する。そして、各配管に設けられた弁ハンドルの大きさも多岐にわたり、弁ハンドルを開閉する際には各弁ハンドルの大きさに見合った寸法の弁ハンドル用ウィルキーを用いる必要がある。
【０００７】
このため、操業時あるいは点検時に、操作するであろう弁ハンドルの大きさに応じて複数の弁ハンドル用ウィルキーを持参しなければならず面倒であった。また、複数の弁ハンドル用ウィルキーを持参すると、その総重量が増加して作業員の負担となっていた。
そこで、適切な大きさの２種以上の弁ハンドル用ウィルキーを備えた弁ハンドル開閉用工具の開発が望まれている。
【０００８】
上記特許文献１に記載された従来の弁ハンドル用ウィルキーによれば、一対の脚のうちの片方を可動脚とした構造であるので、２種以上の異なるサイズの弁ハンドルに対応することができる。しかし、この弁ハンドル用ウィルキーは、各脚の太さが一定であるため、小さい径の弁ハンドルの場合には弁ハンドルの孔内に脚が入らないことがある。また異なるサイズの弁ハンドルに対応させるためには、可動脚を所望位置にスライドさせて固定する必要があり、加えて一対の脚は末広がり形状にしてあり、弁ハンドルから外れる可能性があるので、操作性が良いとは言えなかった。
【０００９】
他方、弁ハンドルを開閉操作した場合、配管内を流れる流体の状態を確認する必要があり、現状では、聴診棒と称される工具を弁又は配管に当接し、その一端を耳に当てて流体の流出音の有無を聴診するという作業を行っている。このため、従来では弁ハンドル用ウィルキーと聴診棒の両者の保管と管理が必要であり、また、現場まで弁ハンドル用ウィルキーと聴診棒の両者を持ち運ばなくてはならず、作業性の面からも望ましくなかった。
【００１０】
本発明は、上述した事情に鑑み提案されたもので、２種以上のサイズの弁ハンドル用ウィルキーの機能を兼ね備えた弁ハンドル開閉用工具を提供することを目的とする。さらに、本発明は、弁ハンドル用ウィルキーおよび聴診棒の機能を兼ね備えた弁ハンドル開閉用工具を提供することを目的とする。
【課題を解決するための手段】
【００１１】
本発明は上述した事情に鑑み提案されたもので、以下の特徴点を備えている。
すなわち、本発明の弁ハンドル開閉用工具は、操作杆の軸線方向の異なる位置で、操作杆の軸線に略直角な一対の固定脚からなるとともに該一対の固定脚間の間隔が弁ハンドルの径の大きさの種類に応じて互いに異なる２以上の弁ハンドル用ウィルキー作用部を設けたこと特徴とするものである。
【００１２】
また、前記弁ハンドル開閉用工具において、前記操作杆の先端に先細状の触針部を形成するとともに、後端に耳に当てるための聴診部を形成することが好ましい。
【００１３】
また、前記弁ハンドル開閉用工具において、前記弁ハンドル用ウィルキー作用部のうちの少なくとも小径の弁ハンドル用ウィルキー作用部について、これを構成する一対の固定脚のうちの少なくとも片方の固定脚の先端を先細状に形成することが好ましい。
【００１４】
また、前記弁ハンドル開閉用工具において、前記弁ハンドル用ウィルキー作用部は、前記操作杆の上下方向に２個所設けられるとともに、各弁ハンドル用ウィルキー作用部は、前記操作杆の軸線に対して１８０度異なる方向に配向されていることが好ましい。
【発明の効果】
【００１５】
本発明の弁ハンドル開閉用工具によれば、弁ハンドルの径の大きさの種類に応じた２以上の弁ハンドル用ウィルキー作用部を備えているので、１つの工具でサイズの異なる各種の弁ハンドルを操作することができる。
【００１６】
また、本発明の弁ハンドル開閉用工具は聴診棒の機能をも有しており、例えば配管内の流体の流れを確認する場合には、操作杆の先細状の先端を弁や配管に当接させ、後端の聴診部を耳に当てればよく、配管内の流体の状態を確認する作業を容易に実施することができる。したって、従来のように、弁ハンドル用ウィルキーと聴診棒の両者を別々に保管して、管理したり持ち運びしたりする必要がない。
【００１７】
また小径の弁ハンドル用ウィルキー作用部の固定脚については先端を先細状に形成しているので、固定脚を弁ハンドルの孔に容易に挿入することができる。
【発明を実施するための最良の形態】
【００１８】
以下、図面を参照して、本発明に係る弁ハンドル開閉用工具の実施形態を説明する。
図１および図２は本発明の本実施形態に係る弁ハンドル開閉用工具を示す側面図である。
【００１９】
本発明の実施形態に係る弁ハンドル用開閉工具は、図１に示すように、操作杆１と、第１の弁ハンドル用ウィルキー作用部２と、第２の弁ハンドル用ウィルキー作用部５と、触針部８と聴診部９とを備えている。この弁ハンドル開閉用工具の材質は鉄又はステンレスであるが、防爆タイプとする場合はベアロンを用いる。
【００２０】
操作杆１は真直ぐなロッド状に形成され、その操作杆１の軸線方向の異なる位置に、第１の弁ハンドル用ウィルキー作用部２と、第２の弁ハンドル用ウィルキー作用部５とが設けられている。
【００２１】
第１の弁ハンドル用ウィルキー作用部２は、操作杆１の軸線に直角で、かつ軸線方向に相前後して設けられた一対の固定脚３、４からなり、固定脚３、４間の間隔Ｄ１は大径の弁ハンドルの径の大きさに対応して設定されている。第２の弁ハンドル用ウィルキー作用部５は、操作杆１の軸線に直角で、かつ軸線方向に相前後して設けられた一対の固定脚６、７からなり、固定脚６、７間の間隔Ｄ２は小径の弁ハンドルの径の大きさに対応して設定されている。すなわち、第１の弁ハンドル用ウィルキー作用部２の固定脚３、４の間隔Ｄ１と、第２の弁ハンドル用ウィルキー作用部５の固定脚６、７の間隔Ｄ２は、弁ハンドルの径の大きさの種類に応じて互いに異なったものとなっている。
【００２２】
また、第１の弁ハンドル用ウィルキー作用部２と第２の弁ハンドル用ウィルキー作用部５とは、操作の際に邪魔にならないように、１８０度異なる方向に配向されている。また、第２の弁ハンドル用ウィルキー作用部５の固定脚６、７の直径ｄ２は、第１の弁ハンドル用ウィルキー作用部２の固定脚３、４の直径ｄ１よりも小さくなっている。これは小径の弁ハンドルの孔に固定脚６、７を挿入可能とするためである。そして、この一対の固定脚６、７のうちの少なくとも片方の固定脚６は先細状に形成され、先端が尖っている。したがって、小径の弁ハンドルの孔内に固定脚６、７を容易に挿入することができる。
【００２３】
操作杆１の両端は、上記小径用の第２の弁ハンドル用ウィルキー作用部５に近い端部である先端が、先細状でかつ最先端を球状とした触針部８として形成され、また上記大径用の第１の弁ハンドル用ウィルキー作用部２に近い端部である後端が、耳に当てるための聴診部９として球状に形成されている。
【００２４】
上記弁ハンドル開閉用工具の全体の寸法例を、図２を参照して説明する。図２に示すように、操作杆１の直径ｄは１８ｍｍ、全長Ｌは４００ｍｍである。操作杆１の先端から第２の弁ハンドル用ウィルキー作用部５の固定脚７までの距離Ｌ１は１５０ｍｍ、操作杆１の後端から第１の弁ハンドル用ウィルキー作用部２の固定脚３までの距離Ｌ２は３０ｍｍである。第１の弁ハンドル用ウィルキー作用部２において、その固定脚３、４の直径ｄ１は１８ｍｍ、固定脚３、４間の間隔Ｄ１は５５ｍｍである。第２の弁ハンドル用ウィルキー作用部５において、その固定脚６、７の直径ｄ２は８ｍｍ、固定脚６、７間の間隔Ｄ２は３５ｍｍである。なお第１の弁ハンドル用ウィルキー作用部２と第２の弁ハンドル用ウィルキー作用部５の間隔Ｌ３は７８ｍｍとなっている。
【００２５】
このように構成された弁ハンドル開閉用工具において、大径の弁ハンドルを操作するには、これに合う第１の弁ハンドル用ウィルキー作用部２の固定脚３、４を弁ハンドルの孔内に挿入して回動させることで、大径の弁を開閉することができる。また、小径の弁ハンドルを操作するには、これに合う第２の弁ハンドル用ウィルキー作用部５の固定脚６、７を弁ハンドルの孔内に挿入して回動させることで、小径の弁を開閉することができる。また、小径の弁ハンドルを操作する際には、固定脚６、７の片方は先細状に形成されて先端が尖っているので、当該弁ハンドルの孔に固定脚６、７を容易に弁ハンドルの孔内に差し込むことができる。
【００２６】
そして、配管内の流体の流れ等を確認する場合には、操作杆の先細状の先端を弁や配管に当接させ、後端の聴診部に耳に当てて流出音を聴くことにより、配管内の流体の状態を容易に確認することができる。
【００２７】
上記実施形態では、第１と第２の弁ハンドル用ウィルキー作用部の固定脚３、４と６、７を互いに１８０度異なる方向に形成したが、固定脚３、４と固定脚６、７とは、弁ハンドル用ウィルキー作用部の互いの操作に邪魔にならない範囲で、操作杆１の軸線の周りに１８０度より狭い任意の角度で、異なる方向に向けて設けることもできる。
【００２８】
また、上記実施形態では、２つの弁ハンドル用ウィルキー作用部２、５を設けたが、３つ以上の弁ハンドル用ウィルキー作用部を設けることもできる。さらに、弁ハンドル開閉用工具における各部の寸法は、操作する弁ハンドルの大きさに合わせて適宜変更することができる。
【産業上の利用可能性】
【００２９】
本発明に係る弁ハンドル開閉用工具は、大きさの異なる２種類以上の弁ハンドルの開閉操作を行う際に用いることができる。また、本発明に係る弁ハンドル開閉用工具は、配管内の流体の状態を確認する際に、聴診棒として用いることができる。
【図面の簡単な説明】
【００３０】
【図１】本発明の弁ハンドル開閉用工具を示す側面図である。
【図２】本発明の弁ハンドル開閉用工具の寸法表示に供する側面図である。
【符号の説明】
【００３１】
１  操作杆
２  第１の弁ハンドル用ウィルキー作用部
３、４  固定脚
５  第２の弁ハンドル用ウィルキー作用部
６、７  固定脚
８  触針部
９  聴診部
【図１】
2007203386.tif 000003
【図２】
2007203386.tif 000004